(57)【要約】【課題】再生中のプレイリストからオリジナルのタイトルを検索できるようにし、目的の映像を早く表示できるようにする光ディスク記録再生装置を得る。【解決手段】ＤＶＤ１０からイニシャルを読み出し中にオリジナルのタイトルとセルとビデオオブジェクト情報サーチポインタ数との関係が情報テーブル８１に保存され、プレイリスト再生中にプレイリストのビデオオブジェクト情報サーチポインタ数がサーチポインタ数取得手段９２により取得され、取得されたビデオオブジェクト情報サーチポインタ数と同じ値のビデオオブジェクト情報サーチポインタ数を持つオリジナルのセルが情報テーブル８１に基づいてセル検索手段９３により検索される。この検索されたオリジナルのセルに対応するタイトルは情報テーブル８１に基づいてタイトル検索手段９４により検索される。【選択図】      図１
2005025882.tif 000002
【特許請求の範囲】
【請求項１】
光ディスクに情報を記録したり、光ディスクから情報を再生したりする光ディスク記録再生装置において、光ディスクからイニシャルを読み出し中に、オリジナルにおけるタイトルとセルとビデオオブジェクト情報サーチポインタ数との関係を情報テーブルに保存するテーブル保存手段と、ＤＶＤ規格のＶＲモードにてプレイリスト再生中にプレイリストについてビデオオブジェクト情報サーチポインタ数を取得するサーチポインタ数取得手段と、前記取得されたビデオオブジェクト情報サーチポインタ数と同じ値のビデオオブジェクト情報サーチポインタ数を持つオリジナルのセルを前記情報テーブルに基づいて検索するセル検索手段と、前記検索されたオリジナルのセルに対応するタイトルを前記情報テーブルに基づいて検索するタイトル検索手段と、前記検索されたタイトルを表示手段に表示させる制御を行う表示制御手段とを有するシステムコントローラを備えたことを特徴とする光ディスク記録再生装置。
【請求項２】
光ディスクに情報を記録したり、光ディスクから情報を再生したりする光ディスク記録再生装置において、オリジナルのタイトルとプレイリストとをビデオオブジェクト情報サーチポインタ数によって関係付け、プレイリスト再生中にオリジナルのタイトルをビデオオブジェクト情報サーチポインタ数に基づいて検索し、この検索したタイトルを表示手段に表示させる制御を行うシステムコントローラを備えたことを特徴とする光ディスク記録再生装置。
【請求項３】
前記システムコントローラは、光ディスクからイニシャルを読み出し中に、オリジナルにおけるタイトルとセルとビデオオブジェクト情報サーチポインタ数との関係を情報テーブルに保存するテーブル保存手段と、プレイリスト再生中にプレイリストについてビデオオブジェクト情報サーチポインタ数を取得するサーチポインタ数取得手段と、前記取得されたビデオオブジェクト情報サーチポインタ数と同じ値のビデオオブジェクト情報サーチポインタ数を持つオリジナルのセルを前記情報テーブルに基づいて検索するセル検索手段と、前記検索されたオリジナルのセルに対応するタイトルを前記情報テーブルに基づいて検索するタイトル検索手段と、前記検索されたタイトルを表示手段に表示させる制御を行う表示制御手段とを有することを特徴とする請求項２に記載の光ディスク記録再生装置。
【請求項４】
前記プレイリスト再生中のプレイリストは、ＤＶＤ規格のＶＲモードにてプレイリスト再生中のプレイリストであることを特徴とする請求項３に記載の光ディスク記録再生装置。
【発明の詳細な説明】
【０００１】
【発明の属する技術分野】
本発明は、光ディスクに記録された情報を再生する光ディスク記録再生装置に関し、特に、プレイリスト再生中にオリジナルの箇所をサーチできる機能を有する光ディスク記録再生装置に関する。
【０００２】
【従来の技術】
近年、ＤＶＤ−Ｒ、ＤＶＤ−ＲＷなどのような書換え可能な光ディスクが普及してきている。このような書換え可能な光ディスクは、ＤＶＤ−ＶＲ（ビデオレコーディング）規格に準拠したアクセス方法を用いてアクセスすることにより、情報の記録や再生を行うことができる。
【０００３】
このような書換え可能な光ディスクにおいて、ストリーム再生進行に不可欠な再生単位には、１つ以上のビデオオブジェクト（ＶＯＢ）、それぞれのビデオオブジェクト（ＶＯＢ）に対して１対１の比率で対応付けられたビデオオブジェクト情報（ＶＯＢＩ）、複数のセル（Ｃｅｌｌ）からなるオリジナルプログラムチェーン（ＯＲＧ＿ＰＧＣ）、オリジナルプログラムチェーン（ＯＲＧ＿ＰＧＣ）に含まれるセルのうちの特定されるものからなるプログラム（ＰＧ）がある。
【０００４】
複数のビデオオブジェクト（ＶＯＢ）のうち、どのビデオオブジェクト（ＶＯＢ）がどのセルに対応するかは、ビデオオブジェクト情報サーチポインタ数（ＶＯＢＩ＿ＳＲＰＮ）にて特定される。また、オリジナルのビデオオブジェク（ＶＯＢ）を編集したタイトルを示すプレイリスト（ＰＬ）がある。このプレイリスト（ＰＬ）は、オリジナルプログラムチェーン（ＯＲＧ＿ＰＧＣ）と同様、ビデオオブジェクト情報サーチポインタ数（ＶＯＢＩ＿ＳＲＰＮ）にて特定される。
【０００５】
【特許文献１】
特開２００２−２４５７２７号公報
【特許文献２】
特開２００１−１２６４４８号公報
【０００６】
【発明が解決しようとする課題】
ところで、上記のような書換え可能な光ディスクからオリジナルのタイトルを検索する場合、従来の光ディスク記録再生装置においては、ユーザが一つ一つプレイリストを選択してオリジナルのタイトルを検索する操作を行い、タイトルの映像を表示装置に表示させて確認している。例えば、プレイリスト（ＰＬ♯３）がオリジナルのタイトル（ＴＴ１）に対応する場合、この対応関係が予め分かっていれば、そのプレイリスト（ＰＬ♯３）を検索することにより、オリジナルのタイトル（ＴＴ１）の映像を表示装置に表示させることができる。
【０００７】
しかしながら、プレイリスト（ＰＬ♯３）がオリジナルのタイトル（ＴＴ１）に対応していることが予め分かっていなければ、ユーザはオリジナルのタイトル（ＴＴ１）の映像を取り出すのに、プレイリストを一つ一つ選択し、選択したプレイリストに対応するオリジナルのタイトルの映像を確かめて目的の映像が表示するまで選択操作を何回も繰り返している。プレイリスト数が少ない場合は問題ないが、プレイリスト数が多くなると、前記選択操作を多数回行い、かなりの時間と手間がかかり、ユーザにとっては使い勝手が劣ることになる。
【０００８】
なお、特許文献１に記載の従来技術では、オリジナルのタイトルとプレイリストとの関係により、プレイリストからオリジナルのタイトルを検索していないので、上記のような課題を解決できるものではない。
【０００９】
特許文献２に記載の従来技術では、再生の途中では、再生中のプレイリストのタイプに応じて操作が可能であり、例えば、動画ストリームでは時間を指定してのサーチが可能であり、３０分後に進む、２分前に戻るなどの操作が可能であり、また、静止画像の再生時には、２０枚目に進む、３枚前に戻るなどの操作が可能であるが、オリジナルのタイトルとプレイリストとの関係により、プレイリストからオリジナルのタイトルを検索していないので、特許文献１の従来技術と同様、上記のような課題を解決できるものではない。
【００１０】
本発明は、上記のような課題を解決するためになされたもので、再生中のプレイリストからオリジナルのタイトルを検索できるようにし、目的の映像を早く表示できるようにした光ディスク記録再生装置を提供することを目的とする。
【００１１】
【課題を解決するための手段】
上記目的を達成するために、請求項１の発明は、光ディスクに情報を記録したり、光ディスクから情報を再生したりする光ディスク記録再生装置において、光ディスクからイニシャルを読み出し中に、オリジナルにおけるタイトルとセルとビデオオブジェクト情報サーチポインタ数との関係を情報テーブルに保存するテーブル保存手段と、ＤＶＤ規格のＶＲモードにてプレイリスト再生中にプレイリストについてビデオオブジェクト情報サーチポインタ数を取得するサーチポインタ数取得手段と、前記取得されたビデオオブジェクト情報サーチポインタ数と同じ値のビデオオブジェクト情報サーチポインタ数を持つオリジナルのセルを前記情報テーブルに基づいて検索するセル検索手段と、前記検索されたオリジナルのセルに対応するタイトルを前記情報テーブルに基づいて検索するタイトル検索手段と、前記検索されたタイトルを表示手段に表示させる制御を行う表示制御手段とを有するシステムコントローラを備えたことを特徴とする光ディスク記録再生装置を提供する。
【００１２】
この構成において、光ディスクからイニシャルを読み出し中に、オリジナルにおけるタイトルとセルとビデオオブジェクト情報サーチポインタ数との関係がテーブル保存手段により情報テーブルに保存される。ＤＶＤ規格のＶＲモードにてプレイリスト再生中にプレイリストについてビデオオブジェクト情報サーチポインタ数がサーチポインタ数取得手段により取得される。次に、前記取得されたビデオオブジェクト情報サーチポインタ数と同じ値のビデオオブジェクト情報サーチポインタ数を持つオリジナルのセルが情報テーブルに基づいてセル検索手段により検索される。この後、前記検索されたオリジナルのセルに対応するタイトルが情報テーブルに基づいてタイトル検索手段により検索される。前記検索されたタイトルは表示制御手段により表示手段に表示させる制御を行う。これにより、表示手段には前記検索されたタイトルが表示される。
【００１３】
この構成によれば、ＶＲモードにてプレイリスト再生中に対応するオリジナルのタイトルを表示できることにより、プレイリスト再生中にオリジナルの場所を把握でき、現在再生しているプレイリストに対応するオリジナルの場所に直ぐ飛ぶことが可能になり、したがって、ユーザにとっては目的とするオリジナルの映像を早く表示できるようになり、使い勝手が良くなる。
【００１４】
請求項２の発明は、光ディスクに情報を記録したり、光ディスクから情報を再生したりする光ディスク記録再生装置において、オリジナルのタイトルとプレイリストとをビデオオブジェクト情報サーチポインタ数によって関係付け、プレイリスト再生中にオリジナルのタイトルをビデオオブジェクト情報サーチポインタ数に基づいて検索し、この検索したタイトルを表示手段に表示させる制御を行うシステムコントローラを備えたことを特徴とする光ディスク記録再生装置を提供する。
【００１５】
この構成においては、プレイリスト再生中にオリジナルのタイトルがビデオオブジェクト情報サーチポインタ数に基づいて検索され、この検索されたタイトルが表示手段に表示させる制御が行われる。これにより、前記検索されたタイトルが表示手段に表示される。
【００１６】
この構成によれば、プレイリスト再生中に対応するオリジナルのタイトルを表示できることにより、プレイリスト再生中にオリジナルの場所を把握でき、現在再生しているプレイリストに対応するオリジナルの場所に直ぐ飛ぶことが可能になり、したがって、ユーザにとっては目的とするオリジナルの映像を早く表示できるようになり、使い勝手が良くなる。
【００１７】
請求項３の発明では、前記システムコントローラは、光ディスクからイニシャルを読み出し中に、オリジナルにおけるタイトルとセルとビデオオブジェクト情報サーチポインタ数との関係を情報テーブルに保存するテーブル保存手段と、プレイリスト再生中にプレイリストについてビデオオブジェクト情報サーチポインタ数を取得するサーチポインタ数取得手段と、前記取得されたビデオオブジェクト情報サーチポインタ数と同じ値のビデオオブジェクト情報サーチポインタ数を持つオリジナルのセルを前記情報テーブルに基づいて検索するセル検索手段と、前記検索されたオリジナルのセルに対応するタイトルを前記情報テーブルに基づいて検索するタイトル検索手段と、前記検索されたタイトルを表示手段に表示させる制御を行う表示制御手段とを有するので、プレイリスト再生中に対応するオリジナルのタイトルを表示することができ、これにより、プレイリスト再生中にオリジナルの場所を把握でき、現在再生しているプレイリストに対応するオリジナルの場所に直ぐ飛ぶことが可能になる。
【００１８】
請求項４の発明では、前記プレイリスト再生中のプレイリストは、ＤＶＤ規格のＶＲモードにてプレイリスト再生中のプレイリストであるので、ＤＶＤ規格のＶＲモードで映像が記録された光ディスクに対しても処理が可能になる。
【００１９】
【発明の実施の形態】
以下、添付図面を参照しつつ、本発明の実施の形態について説明する。図１は本発明の一実施形態に係る光ディスク記録再生装置の構成を示すブロック図である。この光ディスク記録再生装置は、ＭＰＥＧデコーダ１、信号出力部２、信号入力部３、ＭＰＥＧエンコーダ４、ユーザインターフェイス部（Ｕ／Ｉ部）５、トラックバッファ６、ドライブ装置７、およびメモリ８、システムコントローラ９を備えている。ＤＶＤ１０は、書換え可能はＤＶＤ−ＲやＤＶＤ−ＲＷなどである。テレビ１１は表示手段であり、この表示手段はテレビに限ることはない。
【００２０】
この光ディスク記録再生装置において、先ず、再生処理に用いられる構成要素であるＭＰＥＧデコーダ１と信号出力部２について説明する。ＭＰＥＧデコーダ１は、デコード処理がシステムコントローラ９により要求されれば、ＤＶＤ１０から読み出され、トラックバッファ６に格納されたＶＯＢＵ（Ｖｅｄｉｏ  Ｏｂｊｅｃｔ  Ｕｎｉｔ）をデコードすることにより、ビデオ信号を得て信号出力部２に出力する。信号出力部２は、ＭＰＥＧデコーダ１のデコードにより得られたビデオ信号をテレビ１１などに出力し、映像化する。
【００２１】
次に、録画処理に用いられる構成要素である信号入力部３とＭＰＥＧエンコーダ４について説明する。信号入力部３は、この光ディスク記録再生装置の外部から順次入力されてくるビデオ信号およびオーディオ信号を受け付ける。ビデオ信号は複数のビデオフレームからなり、オーディオ信号は複数のオーディオフレームからなるので、信号入力部３はビデオフレームおよびオーディオフレームをＭＰＥＧエンコーダ４に出力する。
【００２２】
ＭＰＥＧエンコーダ４は、信号入力部３から入力されてくるビデオフレームをビデオエンコード処理することによりビデオデータを生成し、また、同時に信号入力部３から入力されてくるオーディオフレームをオーディオエンコードすることによりオーディオデータを生成し、更に、ビデオデータとオーディオデータをシステムエンコードすることにより、ビデオオブジェクトユニット（ＶＯＢＵ）を形成し、トラックバッファ６に格納する。
【００２３】
ビデオオブジェクトユニット（ＶＯＢＵ）のシステムエンコード処理が完了する毎に、ＭＰＥＧエンコーダ４はシステムコントローラ９に対してエンコードが完了したビデオオブジェクトユニット（ＶＯＢＵ）についての情報を通知する。録画および録音の停止が命じられた場合、その直後に入力されたビデオフレームまたはオーディオフレームに対して、ビデオエンコード、オーディオエンコード、システムエンコードを行う。そのシステムエンコードが終わった時点で全エンコードを終了し、それまでに生成されたビデオオブジェクトユニット（ＶＯＢＵ）をトラックバッファ６に転送する。その後、ＭＰＥＧエンコーダ４は、エンコード処理が終了した旨をシステムコントローラ９に伝える。
【００２４】
続いて、再生処理時および録画処理時の双方において用いられる構成要素であるＵ／Ｉ部５とドライブ装置７について説明する。Ｕ／Ｉ部５は、再生、録画の何れを行うかの指定をユーザから受け付ける。ユーザが再生したい番組を選択すると、Ｕ／Ｉ部５は、システムコントローラ９に対して、前記選択された番組の再生を要求する。
【００２５】
ドライブ装置７は、再生処理時にあたって読出先アドレスとデータサイズとが指定されたリード命令がシステムコントローラ９により発行されれば、要求されたアドレスからビデオオブジェクトユニット（ＶＯＢＵ）を読み出すようにＤＶＤ１０をアクセスする。ビデオオブジェクトユニット（ＶＯＢＵ）が読み出されれば、読み出されたビデオオブジェクトユニット（ＶＯＢＵ）を順次トラックバッファ６に格納する。以降、トラックバッファ６がビデオオブジェクトユニット（ＶＯＢＵ）により充填されるまで、当該読み出し処理を繰り返し行う。
【００２６】
トラックバッファ６が充填されると、トラックバッファ６に空きが生じるのを待ち、しばらくしてトラックバッファ６に空きが出来たら、トラックバッファ６がアンダーフローしないように、ＤＶＤ１０から新たにデータを読み出してトラックバッファ６に書き込む。要求されたデータサイズに達するまで、ドライブ装置７は以上の読み出し処理を繰り返し行う。
【００２７】
録画処理にあたっては、ＭＰＥＧエンコーダ４のエンコードにより得られたビデオオブジェクトユニット（ＶＯＢＵ）がトラックバッファ６に蓄積されると、ドライブ装置７は、トラックバッファ６に格納されているビデオオブジェクトユニット（ＶＯＢＵ）のデータをＤＶＤ１０に記録する。
【００２８】
メモリ８は、この光ディスク記録再生装置に装填されたＤＶＤ１０に記録されている管理ファイルを常駐させておく記憶領域である。このメモリ８に格納される管理ファイルは、録画時や再生時においても書き換えられる可能性があり、この場合、管理ファイルのデータサイズが大きくなることも有り得る。また、ファイルサイズは同じであるが、ファイル内部においてデータ移動が頻繁に生じることも有り得る。
【００２９】
このようなサイズ変動やデータ移動が伴う書き換え処理を、ＤＶＤ１０に対して行おうとすると、ディスクアクセスが頻発してしまうので賢明でない。また、管理ファイルの書き換えがビデオオブジェクトユニット（ＶＯＢＵ）の読み出し中に必要になることもあり、この場合、管理ファイルに対するアクセスがビデオオブジェクトユニット（ＶＯＢＵ）に対するアクセスと競合してしまう。したがって、ディスクアクセス回数の低減と、ディスクアクセスの競合とを避けるべく、管理ファイルについてはメモリ８に常駐させることとしている。
【００３０】
次に、本実施形態の特徴とする構成について説明する。システムコントローラ９は、ＤＶＤ１０からイニシャルを読み出し中に、オリジナルにおけるタイトルとセルとビデオオブジェクト情報サーチポインタ数との関係をメモリ８の情報テーブル８１に保存するテーブル保存手段９１と、ＶＲモードにてプレイリスト再生中にプレイリストについてビデオオブジェクト情報サーチポインタ数を取得するサーチポインタ数取得手段９２と、前記取得されたビデオオブジェクト情報サーチポインタ数と同じ値のビデオオブジェクト情報サーチポインタ数を持つオリジナルのセルを情報テーブル８１から検索するセル検索手段９３と、前記検索されたオリジナルのセルに対応するタイトルを情報テーブル８１から検索するタイトル検索手段９４と、前記検索されたタイトルを表示手段としての例えばテレビ１１に表示させる制御を行う表示制御手段９５とを備えている。
【００３１】
図２は、ＤＶＤの再生において必須となる再生単位を示す図である。図２に示すように、ストリーム再生進行に不可欠な再生単位には、１つ以上のビデオオブジェクト（ＶＯＢ♯１・・・♯４）、それぞれのビデオオブジェクト（ＶＯＢ）に対して、１対１の比率で対応付けられたビデオオブジェクト情報（ＶＯＢＩ♯１・・・♯４）、複数のセル（Ｃｅｌｌ♯１・・・♯４）からなるオリジナルプログラムチェーン（ＯＲＧ＿ＰＧＣ）、オリジナルプログラムチェーン（ＯＲＧ＿ＰＧＣ）に含まれるセルのうち、Ｃ＿Ｎｓにて特定されるものからなるプログラム（ＰＧ）がある。
【００３２】
複数のビデオオブジェクト（ＶＯＢ）のうち、どのビデオオブジェクト（ＶＯＢ）がどのセルに対応するかは、ビデオオブジェクト情報サーチポインタ数（ＶＯＢＩ＿ＳＲＰＮ）にて特定される。また１個のビデオオブジェクト（ＶＯＢ）のうち、何処から何処までの範囲をセルとして指定するかは、Ｃｅｌｌ＿Ｓｔａｒｔ＿ＰＴＭ、Ｃｅｌｌ＿Ｅｎｄ＿ＰＴＭにて指定される。また、オリジナルのビデオオブジェクト（ＶＯＢ）を編集したタイトルを示すプレイリスト（ＰＬ♯１・・・♯４）があり、各プレイリスト（ＰＬ）は１個のＣｅｌｌ♯１に情報が格納されている。
【００３３】
プレイリスト（ＰＬ）はオリジナルプログラムチェーン（ＯＲＧ＿ＰＧＣ）と同様、ビデオオブジェクト情報サーチポインタ数（ＶＯＢＩ＿ＳＲＰＮ）にて特定される。また、プレイリスト再生時に対応するオリジナルのタイトル（ＴＴ）があり、例えば、プレイリスト（ＰＬ♯３）のＣｅｌｌ♯１がオリジナルのタイトル（ＯＲＧ＿ＴＴ１）のＣｅｌｌ♯２に対応する場合を示している。
【００３４】
図３は、図１中のメモリ８内の情報テーブル８１に保存されるオリジナルにおけるタイトル番号とセル番号とビデオオブジェクト情報サーチポインタ数（ＶＯＢＩ＿ＳＲＰＮ）との関係を示すテーブル図である。このテーブル図から分かるように、例えば、オリジナルのタイトルＴＴ１では、セルがＣｅｌｌ♯１とＣｅｌｌ♯２とＣｅｌｌ♯３に対応すると共に、Ｃｅｌｌ♯１がビデオオブジェクト情報サーチポインタ数（ＶＯＢＩ＿ＳＲＰＮ）Ｎ１に、Ｃｅｌｌ♯２がビデオオブジェクト情報サーチポインタ数（ＶＯＢＩ＿ＳＲＰＮ）Ｎ２に、Ｃｅｌｌ♯３がビデオオブジェクト情報サーチポインタ数（ＶＯＢＩ＿ＳＲＰＮ）Ｎ３にそれぞれ対応している。
【００３５】
また、オリジナルのタイトルＴＴ２では、セルがＣｅｌｌ♯４とＣｅｌｌ♯５とに対応すると共に、Ｃｅｌｌ♯４がビデオオブジェクト情報サーチポインタ数（ＶＯＢＩ＿ＳＲＰＮ）Ｎ４に、Ｃｅｌｌ♯５がビデオオブジェクト情報サーチポインタ数（ＶＯＢＩ＿ＳＲＰＮ）Ｎ５にそれぞれ対応している。また、オリジナルのタイトルＴＴ３では、セルがＣｅｌｌ♯６に対応すると共に、Ｃｅｌｌ♯６がビデオオブジェクト情報サーチポインタ数（ＶＯＢＩ＿ＳＲＰＮ）Ｎ６に対応している。
【００３６】
図４は、この実施形態の光ディスク記録再生装置においてイニシャル読み出し中の処理を示すフローチャートである。図５は、この実施形態の光ディスク記録再生装置においてタイトルを表示するＯＳＤ表示処理を示すフローチャートである。以下、それらのフローチャートに従って、この実施形態の特徴とする動作について説明する。
【００３７】
ＤＶＤ１０の情報を再生するため、ＤＶＤ１０を光ディスク記録再生装置に挿入し再生を開始させる。この時、ＤＶＤ１０に記録されている本編の情報を再生する前に、ＤＶＤ１０よりイニシャルを読み出し、このイニシャル読み出し中に（ステップＳ１）、オリジナルの全タイトルについて、セルのビデオオブジェクト情報サーチポインタ数（ＶＯＢＩ＿ＳＲＰＮ）を保存する（ステップＳ２）。
【００３８】
即ち、システムコントローラ９のテーブル保存手段９１は、オリジナルにおけるタイトルとセルとビデオオブジェクト情報サーチポインタ数（ＶＯＢＩ＿ＳＲＰＮ）との関係をメモリ８内の情報テーブル８１に保存する。そして、このイニシャル読み出し中の処理を終える（ステップＳ３）。
【００３９】
ＯＳＤ表示処理に入ると（ステップＳ４）、サーチポインタ数取得手段９２はＶＲモードにてプレイリスト再生中にプレイリストについてビデオオブジェクト情報サーチポインタ数（ＶＯＢＩ＿ＳＲＰＮ）を取得し（ステップＳ５）、次にセル検索手段９３は、前記取得されたビデオオブジェクト情報サーチポインタ数（ＶＯＢＩ＿ＳＲＰＮ）と同じ値であるビデオオブジェクト情報サーチポインタ数（ＶＯＢＩ＿ＳＲＰＮ）を持つオリジナルのセルを情報テーブル８１に基づいて検索する（ステップＳ６）。
【００４０】
この後、タイトル検索手段９４は、前記検索されたオリジナルのセルに対応するタイトルを情報テーブル８１に基づいて検索し（ステップＳ７）、表示制御手段９５は前記検索されたタイトルを例えばテレビ１１に表示させる制御を行う。この後表示制御手段９５は、前記検索されたタイトルのデータをＭＰＥＧデコーダ１に与える。ＭＰＥＧデコーダ１では、前記タイトルのデータをデコードし、信号出力部２から前記タイトルを示すビデオ信号を出力し、テレビ１１に表示する（ステップＳ８）。以上で、このＯＳＤ表示処理を終了する（ステップＳ９）。
【００４１】
ここで、例えば、図２に示すように、プレイリスト（ＰＬ♯３）がオリジナルのタイトル（ＯＲＧ＿ＴＴ１）に対応している場合、プレイリスト（ＰＬ♯３）のビデオオブジェクト情報サーチポインタ数（ＶＯＢＩ＿ＳＲＰＮ）により、オリジナルのタイトル（ＯＲＧ＿ＴＴ１）を検索する処理について説明する。
【００４２】
ＤＶＤ１０の情報を再生するため、ＤＶＤ１０を光ディスク記録再生装置に挿入し再生を開始させる。この時、ＤＶＤ１０に記録されている本編の情報を再生する前に、ＤＶＤ１０よりイニシャルを読み出し、このイニシャル読み出し中に（ステップＳ１）、オリジナルの全タイトル（ＴＴ１，ＴＴ２，ＴＴ３）について、セル（Ｃｅｌｌ♯１〜Ｃｅｌｌ♯６）のビデオオブジェクト情報サーチポインタ数（ＶＯＢＩ＿ＳＲＰＮ）Ｎ１〜Ｎ６を図３に示すように情報テーブル８１に保存する（ステップＳ２）。
【００４３】
ＯＳＤ表示処理に入ると（ステップＳ４）、サーチポインタ数取得手段９２はプレイリスト再生中にプレイリスト（ＰＬ♯３）についてビデオオブジェクト情報サーチポインタ数（ＶＯＢＩ＿ＳＲＰＮ）Ｎ２を取得し（ステップＳ５）、次に、セル検索手段９３は前記取得されたビデオオブジェクト情報サーチポインタ数（ＶＯＢＩ＿ＳＲＰＮ）Ｎ２と同じ値のビデオオブジェクト情報サーチポインタ数（ＶＯＢＩ＿ＳＲＰＮ）Ｎ２を持つオリジナルのセル（Ｃｅｌｌ♯２）を情報テーブル８１に基づいて検索する（ステップＳ６）。
【００４４】
この後、タイトル検索手段９４は、前記検索されたオリジナルのセル（Ｃｅｌｌ♯２）に対応するタイトル（ＴＴ１）を、情報テーブル８１に基づいて検索し（ステップＳ７）、表示制御手段９５は前記検索されたタイトル（ＴＴ１）をテレビ１１に表示させる制御を行う。この後、表示制御手段９５は、前記検索されたタイトル（ＴＴ１）のデータをＭＰＥＧデコーダ１に与える。ＭＰＥＧデコーダ１では前記タイトル（ＴＴ１）のデータをデコードし、信号出力部２から前記タイトル（ＴＴ１）を示すビデオ信号を出力し、テレビ１１に表示する（ステップＳ８）。以上で、このタイトル（ＴＴ１）のＯＳＤ表示処理を終了する（ステップＳ９）。
【００４５】
このような処理により、プレイリスト再生中にオリジナルのタイトル（ユーザが再生を希望するオリジナルの場所）を把握できるので、現在再生しているプレイリストに対応するオリジナルの場所に直ぐ飛ぶことができる。したがって、ユーザにとっては、オリジナルの場所を検索するのが早くなり、使い勝手が向上する。
【００４６】
【発明の効果】
以上のように本発明によれば、光ディスクに情報を記録したり、光ディスクから情報を再生したりする光ディスク記録再生装置において、光ディスクからイニシャルを読み出し中に、オリジナルにおけるタイトルとセルとビデオオブジェクト情報サーチポインタ数との関係を情報テーブルに保存するテーブル保存手段と、ＤＶＤ規格のＶＲモードにてプレイリスト再生中にプレイリストについてビデオオブジェクト情報サーチポインタ数を取得するサーチポインタ数取得手段と、前記取得されたビデオオブジェクト情報サーチポインタ数と同じ値のビデオオブジェクト情報サーチポインタ数を持つオリジナルのセルを前記情報テーブルに基づいて検索するセル検索手段と、前記検索されたオリジナルのセルに対応するタイトルを前記情報テーブルに基づいて検索するタイトル検索手段と、前記検索されたタイトルを表示手段に表示させる制御を行う表示制御手段とを有するシステムコントローラを備えたので、ＶＲモードにてプレイリスト再生中に対応するオリジナルのタイトルを表示でき、これにより、プレイリスト再生中にオリジナルの場所を把握でき、現在再生しているプレイリストに対応するオリジナルの場所に直ぐ飛ぶことが可能になり、したがって、ユーザにとっては目的とするオリジナルの映像を早く表示できるようになり、使い勝手が良くなる。
【００４７】
また、本発明によれば、光ディスクに情報を記録したり、光ディスクから情報を再生したりする光ディスク記録再生装置において、オリジナルのタイトルとプレイリストとをビデオオブジェクト情報サーチポインタ数によって関係付け、プレイリスト再生中にオリジナルのタイトルをビデオオブジェクト情報サーチポインタ数に基づいて検索し、この検索したタイトルを表示手段に表示させる制御を行うシステムコントローラを備えたので、プレイリスト再生中に対応するオリジナルのタイトルを表示でき、これにより、プレイリスト再生中にオリジナルの場所を把握でき、現在再生しているプレイリストに対応するオリジナルの場所に直ぐ飛ぶことが可能になり、したがって、ユーザにとっては目的とするオリジナルの映像を早く表示できるようになり、使い勝手が良くなる。
【図面の簡単な説明】
【図１】本発明の一実施形態に係る光ディスク記録再生装置の構成を示すブロック図である。
【図２】前記実施形態におけるＤＶＤの再生において必須となる再生単位を示す図である。
【図３】前記実施形態において情報テーブルに保存されるオリジナルにおけるタイトル番号とセル番号とビデオオブジェクト情報サーチポインタ数との関係を示すテーブル図である。
【図４】前記実施形態においてイニシャル読み出し中の処理を示すフローチャートである。
【図５】前記実施形態においてタイトルを表示するＯＳＤ表示処理を示すフローチャートである。
【符号の説明】
９    システムコントローラ
１０    ＤＶＤ（光ディスク）
８１    情報テーブル
９１    テーブル保存手段
９２    サーチポインタ数取得手段
９３    セル検索手段
９４    タイトル検索手段
９５    表示制御手段
【図１】
2005025882.tif 000003
【図２】
2005025882.tif 000004
【図３】
2005025882.tif 000005
【図４】
2005025882.tif 000006
【図５】
2005025882.tif 000007